(57)【要約】【解決の手段】本発明の印鑑ケースは、下蓋と中蓋と上蓋を有する印鑑ケースであって、下蓋には印鑑を収納する印鑑収納部と朱肉部と下蓋蝶番部とを設け、中蓋および上蓋のそれぞれには中蓋蝶番部および上蓋蝶番部を設け、下蓋と中蓋と上蓋とを下蓋蝶番部と中蓋蝶番部と上蓋蝶番部で開閉可能に連結するとともに、下蓋と中蓋とを係脱自在に係止する止め部と、上蓋と中蓋とを係脱自在に係止する係止部とを設け、中蓋と上蓋との間に収納部を設けたことを特徴とする。【効果】上蓋と中蓋との間に収納部を有しているため、上蓋と中蓋の間に、写真、フィルム、印刷物、布、デザイン画等の収納片や、小物等を収納することができる。また、印鑑収納部を出現させる止め部と、中蓋と上蓋を開く係止部を有しているため、通常の印鑑収納作業時、係止部は解除されずに収納片を収納保持した状態で保つことができ、収納片の脱落による紛失や汚れ等を防止することができる。【選択図】図４
2008080752.tif 000002
【特許請求の範囲】
【請求項１】
下蓋と中蓋と上蓋を有する印鑑ケースであって、下蓋には印鑑を収納する印鑑収納部と朱肉部と下蓋蝶番部とを設け、中蓋および上蓋のそれぞれには中蓋蝶番部および上蓋蝶番部を設け、下蓋と中蓋と上蓋とを下蓋蝶番部と中蓋蝶番部と上蓋蝶番部で開閉可能に連結するとともに、下蓋と中蓋とを係脱自在に係止する止め部と、上蓋と中蓋とを係脱自在に係止する係止部とを設け、中蓋と上蓋との間に収納部を設けたことを特徴とする印鑑ケース。
【請求項２】
下蓋と中蓋と上蓋を有する印鑑ケースであって、下蓋には印鑑を収納する印鑑収納部と朱肉部と下蓋蝶番部とを設け、中蓋および上蓋のそれぞれには中蓋蝶番部および上蓋蝶番部を設け、下蓋と中蓋と上蓋とを下蓋蝶番部と中蓋蝶番部と上蓋蝶番部で開閉可能に連結するとともに、下蓋と上蓋とを係脱自在に係止する止め部と、上蓋と中蓋とを係脱自在に係止する係止部とを設け、中蓋と上蓋との間に収納部を設けたことを特徴とする印鑑ケース。
【請求項３】
前記上蓋が透明性を有することを特徴とする請求項１または請求項２に記載の印鑑ケース。
【請求項４】
前記上蓋の内壁面に収納用突片を設けたことを特徴とする請求項１または請求項２または請求項３に記載の印鑑ケース。
【発明の詳細な説明】
【技術分野】
【０００１】
本発明は、下蓋と中蓋と上蓋を有し、上蓋と中蓋との間に、写真、フィルム、印刷物、布、デザイン画等の収納片や、小物等を収納することができる印鑑ケースである。
【背景技術】
【０００２】
従来この種の印鑑ケースは、下蓋と上蓋のそれぞれに保持フレームで装飾布を嵌めこみ固定する構成が特許文献１により開示されている。また、蓋の内側両側面の一部分に溝を設けることによって印鑑登録先判別票を差込むことができる印鑑ケースが、特許文献２より開示されている。
【特許文献１】実開平０４−１３７８７０号
【特許文献２】実開昭５４−９６３０４号
【発明の開示】
【発明が解決しようとする課題】
【０００３】
特許文献１に開示されている印鑑ケースは、装飾布を保持フレームで固定することによって美観に優れ、仕上がりにむらのない印鑑ケースを開示しているものであって、固定した保持フレームを取り外し、他の装飾布に取替えることは想定されていない。また、仮に取替えることができるとしても、保持フレームには蝶番部を有していないため、作業が煩雑である上に、保持フレームを紛失する可能性もある。
【０００４】
特許文献２に開示されている印鑑ケースは、上蓋内面に印鑑登録先判別票の差込みができる程度の細い溝を有しているが、判別票全体を保護するものがないため、蓋の開閉を重ねるごとに脱落による紛失や汚れ等を生じる欠点がある。
【課題を解決するための手段】
【０００５】
上記の課題を解決するために完成された第１の発明の印鑑ケースは、下蓋と中蓋と上蓋を有する印鑑ケースであって、下蓋には印鑑を収納する印鑑収納部と朱肉部と下蓋蝶番部とを設け、中蓋および上蓋のそれぞれには中蓋蝶番部および上蓋蝶番部を設け、下蓋と中蓋と上蓋とを下蓋蝶番部と中蓋蝶番部と上蓋蝶番部で開閉可能に連結するとともに、下蓋と中蓋とを係脱自在に係止する止め部と、上蓋と中蓋とを係脱自在に係止する係止部とを設け、中蓋と上蓋との間に収納部を設けたことを特徴とする。また第２の発明は、下蓋と中蓋と上蓋を有する印鑑ケースであって、下蓋には印鑑を収納する印鑑収納部と朱肉部と下蓋蝶番部とを設け、中蓋および上蓋のそれぞれには中蓋蝶番部および上蓋蝶番部を設け、下蓋と中蓋と上蓋とを下蓋蝶番部と中蓋蝶番部と上蓋蝶番部で開閉可能に連結するとともに、下蓋と上蓋とを係脱自在に係止する止め部と、上蓋と中蓋とを係脱自在に係止する係止部とを設け、中蓋と上蓋との間に収納部を設けたことを特徴とする印鑑ケースである。また、第３の発明は、前記上蓋が透明性を有することを特徴とする、第１の発明または第２の発明の印鑑ケースである。また、第４の発明は、前記上蓋の内壁面に収納用突片を設けたことを特徴とする第１の発明、第２の発明、第３の発明の印鑑ケースである。
【発明の効果】
【０００６】
本発明の印鑑ケースは上蓋と中蓋との間に収納部を有しているため、上蓋と中蓋の間に、写真、フィルム、印刷物、布、デザイン画等の収納片や、小物等を収納することができる。また、印鑑収納部を出現させる止め部と、中蓋と上蓋を開く係止部を有しているため、通常の印鑑収納作業時、係止部は解除されずに収納片を収納保持した状態で保つことができ、収納片の脱落による紛失や汚れ等を防止することができる。
また、つまみ部を、従来からよく知られている口金状に設け、指先でつまみ部をひねって解除する構成とし、止め部を下蓋のつまみ部と上蓋のつまみ部に設け、係止部を中蓋と上蓋のつまみ部に設けた場合、止め部と係止部を解除する際のつまみ部をひねる向きは反対になる。そのため、止め部を解除するようなひねりの向きでは、係止部が解除されることはなく、不用意に係止部が解除されることを防ぐことができる。
また、上蓋が透明性を有している場合、収納片を中蓋と上蓋の間に設けた収納部に収納保持したとき、上蓋表面に収納片が透けて見えることになるため、収納片を使用者の好みの写真やデザイン画等にした場合、上蓋上面にその写真等が透けて見え、使用者オリジナルの外観をもった印鑑ケースができる。
上蓋内壁面に収納用突片を設けて、そこへ収納片を収納保持する場合、使用時の振動等によって、収納片が位置ズレを起こすことを防止でき、また、不用意に係止部が解除された際、収納片の脱落による紛失等を防止できる。
【発明を実施するための最良の形態】
【０００７】
次に、本発明を実施するための最良の形態について、まず第１の実施例を図１〜図４を参照しながら具体的に説明する。
下蓋（１）は、熱可塑性または熱硬化性の合成樹脂によって略かまぼこ形に成形され、内部には印鑑収納部（４）と朱肉部（５）と一側縁に下蓋蝶番部（１２）を設ける。また、他側縁には下蓋つまみ部（１１）を設け、下蓋つまみ部（１１）の側端には止め用凸部（６１）を設ける。中蓋（２）は、熱可塑性または熱硬化性の合成樹脂によって略かまぼこ形に成形され、内部には、前記印鑑収納部（４）に対向するように印鑑収納部（４１）と一側縁に中蓋蝶番部（２２）を設ける。また、他側縁には中蓋つまみ部（２１）を設け、中蓋つまみ部（２１）の一側端には止め用凹部（６２）と、中蓋つまみ部（２１）の他側端には係止用凸部（７１）を設ける。上蓋（３）は、熱可塑性または熱硬化性の合成樹脂によって略かまぼこ形に成形され、一側縁に上蓋蝶番部（３２）を設ける。また、他側縁には上蓋つまみ部（３１）を設け、上蓋つまみ部（３１）の側端には係止用凹部（７２）を設ける。下蓋（１）と中蓋（２）と上蓋（３）は、下蓋蝶番部（１２）と中蓋蝶番部（２２）と上蓋蝶番部（３２）と芯棒で開閉可能に連結する。また、下蓋（１）と中蓋（２）または上蓋（３）が開いた状態になるようにバネ弾性を有する芯棒を用いて連結してもよいし、蝶番部にコイルバネを取付けてもよい。下蓋（１）の止め用凸部（６１）と中蓋（２）の止め用凹部（６２）は、下蓋（１）と中蓋（２）を係脱自在に係止する止め部（６）を構成する。また、中蓋（２）の係止用凸部（７１）と上蓋（３）の係止用凹部（７２）は、中蓋（２）と上蓋（３）を係脱自在に係止する係止部（７）を構成する。下蓋つまみ部（１１）、中蓋つまみ部（２１）、上蓋つまみ部（３１）は、下蓋（１）と中蓋（２）と上蓋（３）を閉じた際、従来からよく知られている口金のように、横一列に並べる。中蓋（２）と上蓋（３）の間には収納部（３３）を設け、収納片（８）を収納する。収納片（８）は、写真、フィルム、印刷物、布、デザイン画等の装飾を目的とするものや、文字や絵等を書き留めた紙片等、その内容、材質、大きさは使用者の所望のものでよい。収納部（３３）は、中蓋（２）と上蓋（３）の間に前記収納片（８）や、小物等を収納できる構成であれば大きさ等は所望のものでよい。
【０００８】
ここで、前記止め部（６）を構成する止め用凸部（６１）と止め用凹部（６２）は、凹凸形状、ツメ形状等互いが係止される形状であればよく、また、下蓋（１）に止め用凹部（６２）、中蓋に止め用凸部（６１）を設ける構成であってももちろんよい。前記係止部（７）を構成する係止用凸部（７１）と係止用凹部（７２）は、凹凸形状、ツメ形状等互いが係止される形状であればよく、また、中蓋（２）に係止用凹部（７２）、上蓋に係止用凸部（７１）を設ける構成であってももちろんよい。また、止め部（６）および係止部（７）は、前記つまみ部に設けることに限定されるものではなく、下蓋（１）と中蓋（２）、中蓋（２）と上蓋（３）のそれぞれを係脱自在に係止することができれば、例えば、下蓋（１）の側縁と対向する中蓋（２）の側縁部や、上蓋（３）の内壁面とその対向する中蓋（２）の外壁面など、設ける場所はどこでもよい。つまみ部の形状や大きさは、口金形状に限定されるものではなく、蓋を開閉する際の指係りになる形状や大きさであればよい。また、つまみ部を設ける場所も特に限定されず、蓋を開閉できる場所であればよい。上蓋つまみ部（３１）を、下蓋つまみ部（１１）と中蓋つまみ部（２１）と横一列に並べずに設け、係止部（７）を上蓋（３）の内壁面とその対向する中蓋（２）の外壁面の間に設ける構成でもよい。その際、中蓋（２）と上蓋（３）が係脱自在となるように、下蓋つまみ部（１１）と中蓋つまみ部（２１）と横一列とならない場所へ、指係りとなる突起や凹み等のつまみ部を設けることはいうまでもない。また、中蓋（２）の形状は、前記略かまぼこ形に特に限定されるものではなく、所望の形状でよい。例えば、略板状に成形した場合、上蓋と中蓋の間に小物等を収納できる収納スペースを確保することができる。また、中蓋（２）の外面形状を上蓋（３）の内面形状と略同一にすれば、印鑑収納部（４１）を大きく確保することができるとともに、収納片（８）を収納した場合にズレが生じ難い。下蓋蝶番部（１２）、中蓋蝶番部（２２）、上蓋蝶番部（３２）は、下蓋（１）と中蓋（２）と上蓋（３）が開閉可能に連結される形状であればよく、その個数、大きさ、形状に制限はない。
【０００９】
本発明の第１の実施例は以上のような構成であり、次にその作用について詳細に説明する。
まず印鑑を収納するときは、止め用凸部（６１）と止め用凹部（６２）で構成された止め部（６）の係止状態を解除し、蝶番部を支点に回動することによって、中蓋（２）を開く。中蓋（２）は、上蓋（３）と係止部（７）で係止状態にあるため、中蓋（２）を開く際、上蓋（３）も同時に一体で回動する。中蓋（２）を開くと、印鑑収納部（４）および印鑑収納部（４１）が出現し、そこへ印鑑を収納する。捺印作業をするときは、印鑑収納部（４）（４１）から印鑑を取出し、朱肉部（５）で朱肉を転写し、所望の紙面等へ捺印することができる。捺印作業終了後、印鑑を収納して中蓋（２）を閉じるときは、中蓋（２）を開くときと逆の動作をすればよい。
次に、中蓋（２）と上蓋（３）の間に設けた収納部（３３）に収納片（８）を収納するときは、まず係止部（７）の係止状態を解除し、蝶番部を支点に回動することによって、上蓋（３）を開く。そして、上蓋（３）内面と内蓋（２）外面との間に設けた収納部（３３）に収納片（８）を載置し、その状態を保持したまま上蓋（３）と内蓋（２）を係止部（７）で係止する。これにより、中蓋（２）と上蓋（３）の間に設けた収納部（３３）に収納片（８）を収納することができる。ここで、係止部（７）を係脱するときは、止め部（６）が係止状態、解除状態のどちらの状態であってもよい。止め部（６）、係止部（７）をそれぞれつまみ部に設けた構成の場合は、指先でつまみ部をひねって係脱する構成となる。上蓋つまみ部（３１）を、下蓋つまみ部（１１）と中蓋つまみ部（２１）と横一列に並べずに設け、係止部（７）を上蓋（３）の内壁面とその対向する中蓋（２）の外壁面の間に設ける構成の場合は、係止部（７）を解除するための上蓋つまみ部（３１）が止め部（６）と横一列にないため、止め部（６）係脱時、係止部（７）が不用意に解除されることを防ぐことができる。
【００１０】
次に、第２の実施例を図５〜図７を参照しながら具体的に説明する。前記実施例と重複する箇所は省略する。本実施例は、前記止め部（６）が下蓋（１）と上蓋（３）とを係止することを特徴とする。
下蓋（１）は、一側縁に下蓋蝶番部（１２）を設け、他側縁には下蓋つまみ部（１１）を設け、下蓋つまみ部（１１）の側端には止め用凸部（６１）を設ける。上蓋（３）は、一側縁に上蓋蝶番部（３２）を設ける。また、他側縁には上蓋つまみ部（３１）を設け、上蓋つまみ部（３１）の一側端には止め用凹部（６２）と、上蓋つまみ部（３１）の他側端には係止用凸部（７１）を設ける。中蓋（２）は、一側縁に中蓋蝶番部（２２）を設ける。また、他側縁には中蓋つまみ部（２１）を設け、中蓋つまみ部（２１）の側端には係止用凹部（７２）を設ける。下蓋（１）の止め用凸部（６１）と上蓋（３）の止め用凹部（６２）は、下蓋（１）と上蓋（３）を係脱自在に係止する止め部（６）を構成する。また、中蓋（２）の係止用凹部（７２）と上蓋（３）の係止用凸部（７１）は、中蓋（２）と上蓋（３）を係脱自在に係止する係止部（７）を構成する。
【００１１】
ここで、止め部（６）と係止部（７）の構成は、前記第１の実施例同様、その形状、位置は、互いに係止できれば特に制限はなく、中蓋つまみ部（２１）を、下蓋つまみ部（１１）と上蓋つまみ部（３１）と横一列に並べずに設け、係止部（７）を上蓋（３）の内壁面とその対向する中蓋（２）の外壁面の間に設ける構成でもよい。その際、中蓋（２）と上蓋（３）が係脱自在となるように、下蓋つまみ部（１１）と上蓋つまみ部（３１）と横一列とならない場所へ、指係りとなる突起や凹み等のつまみ部を設けることはいうまでもない。
【００１２】
本発明第２の実施例は以上のような構成であり、次にその作用について詳細に説明する。
まず印鑑を収納するときは、下蓋（１）の止め用凸部（６１）と上蓋（３）の止め用凹部（６２）で構成された止め部（６）の係止状態を解除し、蝶番部を支点に回動することによって、上蓋（３）を開く。中蓋（２）は、上蓋（３）と係止部（７）で係止状態にあるため、上蓋（３）を開く際、中蓋（２）も同時に一体で回動する。よって上蓋（３）を開く動作によって、印鑑収納部（４）および印鑑収納部（４１）が出現し、そこへ印鑑を収納する。捺印作業をするときは、印鑑収納部（４）（４１）から印鑑を取出し、朱肉部（５）で朱肉を転写し、所望の紙面等へ捺印することができることは、第１の実施例と同様である。捺印作業終了後、印鑑を収納して上蓋（３）を閉じるときは、上蓋（３）を開くときと逆の動作をすればよい。
次に、中蓋（２）と上蓋（３）の間に設けた収納部（３３）に収納片（８）を収納するときは、まず係止部（７）の係止状態を解除し、蝶番部を支点に回動することによって、中蓋（２）を開く。そして、上蓋（３）内面と内蓋（２）外面との間に設けた収納部（３３）に収納片（８）を載置し、その状態を保持したまま上蓋（３）と内蓋（２）を係止部（７）で係止する。これにより、中蓋（２）と上蓋（３）の開に設けた収納部（３３）に収納片（８）を収納することができる。ここで、係止部（７）を係脱するときは、止め部（６）を解除した後でも、止め部（６）の係脱と同時でもどちらでもよい。
止め部（６）、係止部（７）をそれぞれつまみ部に設けた構成の場合は、指先でつまみ部をひねって係脱する構成となるが、それぞれのひねる向きは反対になる。例えば、図５、図６、図７で示すように、止め部（６）の解除は時計回りにつまみ部をひねるが、係止部（７）の解除には反時計回りにつまみ部をひねる。そのため、止め部（６）を解除するような時計回りのひねりの向きでは、係止部（７）が解除されることはなく、不用意に係止部（７）が解除されることを防ぐことができる。中蓋つまみ部（２１）を、下蓋つまみ部（１１）と上蓋つまみ部（３１）と横一列に並べずに設け、係止部（７）を上蓋（３）の内壁面とその対向する中蓋（２）の外壁面の間に設ける構成の場合は、係止部（７）を解除するための中蓋つまみ部（２１）が止め部（６）と横一列にないため、止め部（６）係脱時、係止部（７）が不用意に解除されることを防ぐことができる。
【００１３】
次に、第３の実施例を具体的に説明する。前記実施例と重複する箇所は省略する。
本実施例は、前記上蓋（３）を透明にすることを特徴とする。上蓋（３）は、透明性を有する熱可塑性または熱硬化性の合成樹脂で成形される。ここで、下蓋（１）および中蓋（２）は、透明でも不透明でもどちらでもよい。
【００１４】
本発明第３の実施例は以上のような構成であり、次にその作用について詳細に説明する。収納片（８）を中蓋（２）と上蓋（３）の間に設けた収納部（３３）に収納保持したとき、上蓋（３）が透明性を有しているため、上蓋（３）を外側から見た場合に、表面に収納片（８）が透けて見えることになる。よって、収納片（８）を使用者の好みの写真やデザイン画等にした場合、上蓋（３）上面にその写真等が透けて見え、使用者オリジナルの外観をもった印鑑ケースができる。
【００１５】
次に、第４の実施例を図８を参照しながら具体的に説明する。前記実施例と重複する箇所は省略する。
本実施例は、前記上蓋（３）の内壁面に収納用突片（３４）を設けたことを特徴とする。収納用突片（３４）は、収納片（８）が使用時の振動等によってズレルことを防止するために設ける。収納用突片（３４）は、上蓋（３）内壁面に収納片（８）を収納できる構成であれば所望のものでよい。例えば、上蓋（３）内壁面の四隅に収納用突片（３４）を設ける構成や、内壁面側縁に沿って溝や突片を設ける構成にすることによって、収納片（８）を収納保持することができる。前記収納用突片（３４）の数は、収納片（８）を収納保持することができれば、所望の数でよい。
【００１６】
本発明第４の実施例は以上のような構成であり、次にその作用について詳細に説明する。前記第１の実施例または第２の実施例と同様に、係止部（７）の係止状態を解除して、上蓋（３）を開き、上蓋（３）内面を出現させる。上蓋（３）の内壁面に収納片（８）を収納する際は、上蓋（３）内壁面に設けた収納用突片（３４）に収納する。上蓋（３）内壁面の四隅に収納用突片（３４）を設けた構成は、収納片（８）の四隅を４箇所の収納用突片（３４）に差込むことによって、収納片（８）を保持することができる。収納片（８）を収納用突片（３４）で保持した後、上蓋（３）と内蓋（２）を係止部（７）で係止する。これにより、収納片（８）は中蓋（２）と上蓋（３）の開に収納保持され、使用時の振動等によって位置ズレ等を防止することができる。
【００１７】
尚、本発明を前記第１の実施例から第４の実施例により説明したが、本発明はこれらの実施例に何ら限定されるものではない。
【図面の簡単な説明】
【００１８】
【図１】第１の実施例の斜視図
【図２】第１の実施例の止め部を解除した状態の斜視図
【図３】第１の実施例の係止部を解除した状態の斜視図
【図４】第１の実施例の収納片を収納する状態の斜視図
【図５】第２の実施例の止め部を解除した状態の斜視図
【図６】第２の実施例の係止部を解除した状態の斜視図
【図７】第２の実施例の収納片を収納する状態の斜視図
【図８】第４の実施例の収納片を収納した状態の平面図
【符号の説明】
【００１９】
１      下蓋
１１      下蓋つまみ部
１２      下蓋蝶番部
２      内蓋
２１      内蓋つまみ部
２２      中蓋蝶番部
３      上蓋
３１      上蓋つまみ部
３２      上蓋蝶番部
３３      収納部
３４      収納用突片
４、４１  印鑑収納部
５      朱肉部
６      止め部
６１      止め用凸部
６２      止め用凹部
７      係止部
７１      係止用凸部
７２      係止用凹部
８      収納片
【図１】
2008080752.tif 000003
【図２】
2008080752.tif 000004
【図３】
2008080752.tif 000005
【図４】
2008080752.tif 000006
【図５】
2008080752.tif 000007
【図６】
2008080752.tif 000008
【図７】
2008080752.tif 000009
【図８】
2008080752.tif 000010